(57)【特許請求の範囲】
【請求項１】
釣竿に装着される釣糸ガイドの固定構造であって、
釣糸をガイドするための開口と、前記釣竿が挿通される挿通孔が形成された環状部とを備えた釣糸ガイドと、
前記釣糸ガイドの前記環状部の前後に当接することで、前記釣糸ガイドを前記釣竿に固定する２つの固定パイプとからなり、
前記釣糸ガイドの前記環状部、及び前記固定パイプの前記環状部と当接する端面は、側面視において、前記釣竿の軸方向と直交する垂直面に対して、同一角度で傾斜しており、
前記釣糸ガイドを、前記釣竿上において２つの前記固定パイプで挟み込んで固定する、
ことを特徴とする釣糸ガイドの固定構造。
【請求項２】
前記固定パイプは、前記環状部の前後方向から前記環状部と面接触して挟持する、
ことを特徴とする請求項１に記載の釣糸ガイドの固定構造。
【請求項３】
前記釣糸ガイドの前記環状部と当接する２つの前記固定パイプのうち、１つの前記固定パイプの端面にのみ前記釣糸ガイドの前記環状部が嵌入される凹部を有し、或いは２つの固定パイプの端面に前記釣糸ガイドの前記環状部が嵌入される凹部を有し、前記環状部を前記凹部で挟み込んだ状態で、前後２つの前記固定パイプの端面同士が面接触する、
ことを特徴とする請求項１に記載の釣糸ガイドの固定構造。
【請求項４】
２つの前記固定パイプの面接触する端面の周囲に、互いに凹凸係合する係合部を有する、
ことを特徴とする請求項３に記載の釣糸ガイドの固定構造。
【請求項５】
前記固定パイプの内周面には、前記釣竿の表面との間で凹凸係合するための係合部が設けられている、
ことを特徴とする請求項１ないし３のいずれか１項に記載の釣糸ガイドの固定構造。
【請求項６】
２つの前記固定パイプのいずれか１方の端面には、前記釣糸ガイドの前記環状部が嵌入する段差部が形成されている、
ことを特徴とする請求項１ないし３のいずれか１項に記載の釣糸ガイドの固定構造。
【請求項７】
前記固定パイプは、強化繊維で強化された熱硬化性、又は熱可塑性プラスチックで構成されている、
ことを特徴とする請求項１ないし３のいずれか１項に記載の釣糸ガイドの固定構造。
【請求項８】
前記固定パイプは、軸長方向に指向する強化繊維の割合よりも、周方向又は傾斜方向に指向する強化繊維の割合が多い、
ことを特徴とする請求項７に記載の釣糸ガイドの固定構造。
【請求項９】
前記釣糸ガイドは、強化繊維で強化された熱硬化性、又は熱可塑性プラスチックで構成されている、
ことを特徴とする請求項１ないし３のいずれか１項に記載の釣糸ガイドの固定構造。
【請求項１０】
前記固定パイプの軸方向長さは、前記釣糸ガイドの軸方向長さよりも長い、
ことを特徴とする請求項１ないし３のいずれか１項に記載の釣糸ガイドの固定構造。
【請求項１１】
前記傾斜の角度は、１０〜５０°の範囲である、
ことを特徴とする請求項１ないし３のいずれか１項に記載の釣糸ガイドの固定構造。
【請求項１２】
釣糸ガイド及びその固定パイプであって、
前記釣糸ガイドは、釣糸をガイドする開口と、釣竿が挿通される挿通孔が形成された環状部とを備えたフレームを有し、
前記固定パイプは、前記釣糸ガイドを前後方向から挟み込む２つの固定パイプからなり、
前記釣糸ガイドの前記環状部、及び前記固定パイプの前記環状部と当接する端面は、側面視において、装着される前記釣竿の軸方向と直交する垂直面に対して同一角度で傾斜している、
ことを特徴とする釣糸ガイド及びその固定パイプ。
【請求項１３】
２つの前記固定パイプのうち、一方の前記固定パイプの端面にのみ、前記釣糸ガイドの前記環状部が嵌入される凹部を有する、
ことを特徴とする請求項１２に記載の釣糸ガイド及びその固定パイプ。
【請求項１４】
２つの前記固定パイプの端面に、前記釣糸ガイドの前記環状部が嵌入される凹部を有する、
ことを特徴とする請求項１２に記載の釣糸ガイド及びその固定パイプ。
【請求項１５】
２つの前記固定パイプの面接触する端面の周囲に、互いに凹凸係合する係合部を有する、
ことを特徴とする請求項１３又は１４に記載の釣糸ガイド及びその固定パイプ。
【請求項１６】
前記固定パイプの内周面には、前記釣竿の表面との間で凹凸係合するための係合部が設けられている、
ことを特徴とする請求項１２〜１４のいずれか１項に記載の釣糸ガイド及びその固定パイプ。
【請求項１７】
前記固定パイプには、前記釣糸ガイドの前記環状部が嵌入する段差部が形成されている、
ことを特徴とする請求項１２〜１４のいずれか１項に記載の釣糸ガイド及びその固定パイプ。
【請求項１８】
前記固定パイプは、強化繊維で強化された熱硬化性、又は熱可塑性プラスチックで構成されている、
ことを特徴とする請求項１２〜１４のいずれか１項に記載の釣糸ガイド及びその固定パイプ。
【請求項１９】
前記固定パイプは、軸長方向に指向する強化繊維の割合よりも、周方向又は傾斜方向に指向する強化繊維の割合が多い、
ことを特徴とする請求項１８に記載の釣糸ガイド及びその固定パイプ。
【請求項２０】
前記釣糸ガイドは、強化繊維で強化された熱硬化性、又は熱可塑性プラスチックで構成されている、
ことを特徴とする請求項１２〜１４のいずれか１項に記載の釣糸ガイド及びその固定パイプ。
【請求項２１】
前記釣竿に固定される固定パイプの軸方向長さは、前記釣糸ガイドの軸方向長さよりも長い、
ことを特徴とする請求項１２〜１４のいずれか１項に記載の釣糸ガイド及びその固定パイプ。
【請求項２２】
前記傾斜の角度は、１０〜５０°の範囲である、
ことを特徴とする請求項１２ないし１４のいずれか１項に記載の釣糸ガイド及びその固定パイプ。
【請求項２３】
請求項１〜１１のいずれか１項に記載の釣糸ガイドの固定構造を用いて、釣糸ガイドを装着している釣竿。
【発明の詳細な説明】
【技術分野】
【０００１】
本発明は、釣竿上への釣糸ガイドの固定構造、及び当該固定構造を用いて釣糸ガイドを装着した釣竿に関する。
【背景技術】
【０００２】
通常、釣竿に設けられる釣糸ガイドは、釣糸が挿通される部分にガイドリングが取着される開口と、釣竿の表面に載置されて固定される脚部とを備えており、釣竿の長手方向に所定の間隔をおいて釣竿表面に固定されている。釣糸ガイドを釣竿表面に固定する方法として、例えば、特許文献１に開示されているように、脚部を釣竿表面に対して糸巻きし、その後、脚部上に巻回された糸に樹脂（糸止め剤）を塗布する方法が知られている。  
【０００３】
また、釣糸ガイドとしては、釣竿の表面に載置するのではなく、例えば、特許文献２に開示されているように、釣竿に挿入される挿通孔を形成し、この挿通孔を釣竿に対して圧入したり接着することで固定する釣糸ガイド（遊動ガイドと称されることもある）が知られている。またこの釣糸ガイドは、釣竿に対して回転し易いことから、釣竿の表面と接触する挿通孔の内面に凹凸を形成することも知られている。
【先行技術文献】
【特許文献】
【０００４】
【特許文献１】実開昭５１−３５５９６号
【特許文献２】実公平３−２５５６９号
【発明の概要】
【発明が解決しようとする課題】
【０００５】
上記した特許文献１に開示されている釣糸ガイドの固定方法では、固定力を確保するために必要な糸の太さや、糸止め剤の塗布量の関係で重くなり易く、釣竿の重量化につながってしまう。また、過酷な釣りの環境下において強度を永年確保することが難しく、釣竿の撓み等で糸止め剤にクラックが入ったり釣糸ガイドが抜けることもある。さらに、固定作業に熟練を要し、品質が安定しないと共にコストも高くなる。  また、上記した特許文献２に開示された固定方法は、主に、釣竿の各節の玉口部分に配設されるものであり、釣竿との間で接着面積が少ないため接着強度が十分ではなく外れ易いという問題がある。  
【０００６】
本発明は、上記した問題に着目してなされたものであり、簡単で強固に固定でき、軽量で低コストの釣糸ガイドの固定構造、及び当該固定構造を用いて釣糸ガイドを装着した釣竿を提供することを目的とする。
【課題を解決するための手段】
【０００７】
上記した目的を達成するために、本発明に係る釣糸ガイドの固定構造は、釣糸をガイドするための開口と、前記釣竿が挿通される挿通孔が形成された環状部とを備えた釣糸ガイドと、前記釣糸ガイドの前記環状部の前後に当接することで、前記釣糸ガイドを前記釣竿に固定する２つの固定パイプとからなり、前記釣糸ガイドの前記環状部、及び前記固定パイプの前記環状部と当接する端面は、側面視において、前記釣竿の軸方向と直交する垂直面に対して、同一角度で傾斜しており、前記釣糸ガイドを、前記釣竿上において２つの前記固定パイプで挟み込んで固定する、ことを特徴とする。  
【０００８】
上記した釣糸ガイドの固定構造は、固定パイプを釣竿に挿通させると共に、それに隣接して釣糸ガイドの環状部に形成した挿通孔を釣竿に挿通させ、環状部の表面に対し、固定パイプの端面を当接して、釣糸ガイドを釣竿に固定する。これにより、釣糸ガイドは、固定パイプによって軸方向に対して固定される。また、前記環状部及び固定パイプの端面は、釣竿の軸方向と直交する垂直面に対し、同一角度で傾斜していることから、釣糸ガイドは周方向の回転が規制された状態となっており、回転方向に対しても固定される。このように、釣糸ガイドは、釣竿に対して固定される固定パイプによって、軸方向及び回転方向が規制された状態で固定されることから、従来のように、釣糸ガイドの脚部に糸巻き等をする必要もなく、固定作業が簡単で強固に固定することが可能となる。  
【０００９】
なお、上記した環状部及び固定パイプは、釣竿の軸方向と直交する垂直面に対し、同一角度で傾斜した状態で互いに当接するが、環状部の一部、或いは、固定パイプの端面の一部が当接してもよい。すなわち、釣竿の軸方向と直交する垂直面に対し、同一角度で傾斜した状態で互いに当接する部分が存在していればよく、これにより釣糸ガイドの周方向に対する回転を固定することが可能となる。
【発明の効果】
【００１０】
本発明によれば、簡単で強固に固定でき、軽量で低コストの釣糸ガイドの固定構造、及び当該固定構造により釣糸ガイドを装着した釣竿を得ることができる。
【図面の簡単な説明】
【００１１】
【図１】本発明に係る釣竿を示す図。
【図２】本発明の第１実施形態を示す図であり、（ａ）は斜視図、（ｂ）は側面図。
【図３】本発明の第２実施形態を示す側面図。
【図４】本発明の第３実施形態を示す側面図。
【図５】本発明の第４実施形態を示す図であり、固定パイプと釣竿を示す斜視図。
【図６】図５において（ａ）は一対の固定パイプで釣糸ガイドを固定する際の配置状態を示す側面図、（ｂ）は釣糸ガイドを釣竿に固定した状態を示す側面図。
【図７】本発明の第５実施形態を示す図であり、固定パイプと釣糸ガイドを示す側面図。
【図８】本発明の第６実施形態を示す図であり、（ａ）は釣糸ガイドの固定部分を示す側面図、（ｂ）はその変形例を示す側面図。
【図９】本発明の第７実施形態を示す図であり、（ａ）は側面図、（ｂ）は斜視図。
【図１０】本発明の第８実施形態を示す図であり、（ａ）は側面図、（ｂ）は斜視図。
【発明を実施するための形態】
【００１２】
以下、図面を参照しながら本発明に係る釣竿について説明する。  図１は、本発明に係る釣竿を示す図である。  釣竿１は、複数の竿杆を継合することで構成されており、本実施形態では、元竿杆３、中竿杆５、及び穂先竿杆７の３本の竿杆を振出式で継合している。この場合、中竿杆５については無い構成であっても良いし、２本以上継合する構成であっても良い。また、釣竿は、複数の竿杆が並継式や逆並継式に継合されたものであっても良いし、１本竿として構成されていても良い。  
【００１３】
前記元竿杆３には、魚釣用リールを固定するリールシート８が設けられている。また、各竿杆の外周面には、魚釣用リールから繰り出される釣糸を挿通させる複数の釣糸ガイド１０が設けられており、先端には、トップガイド１１が固定されている。なお、各竿杆に配設される釣糸ガイドの個数については任意である。  
【００１４】
前記元竿杆３及び中竿杆５は、繊維強化樹脂製の管状体で構成されており、例えば、強化繊維（主に炭素繊維やガラス繊維等）に、エポキシ樹脂等の合成樹脂（熱硬化性合成樹脂、熱可塑性合成樹脂）を含浸した繊維強化樹脂プリプレグ（プリプレグシート）を芯金に巻回し加熱工程を経た後、脱芯する等、定法に従って形成されている。なお、穂先７については、管状体で構成する以外にも中実体として構成しても良く、その構成材料は繊維強化樹脂や金属等を用いることが可能である。  
【００１５】
図２は、本発明の第１実施形態を示す図であり、（ａ）は斜視図、（ｂ）は側面図である。  図２では、穂先竿杆７に装着される釣糸ガイドを示しているが、他の部位に装着される釣糸ガイドも同様な構成で装着される。  
【００１６】
前記釣糸ガイド１０は、魚釣用リールから繰り出される釣糸をガイドする円形（楕円形でも良い）の開口１０ａと、その下方で穂先竿杆７（以下、釣竿と称する）が挿通される挿通孔１０ｂとを備えたフレーム１０Ａを有している。このフレーム１０Ａは、例えば、チタン合金等の金属材料、或いは、炭素繊維やガラス繊維などの強化繊維で強化された熱硬化性又は熱可塑性プラスチックで構成されており、例えば、金属の平板材を所定の形状となるように打ち抜き加工等することにより、或いは、繊維強化樹脂製のプリプレグシートを所定の金型を用いて加圧成型加工などすることにより形成される。そして、前記開口１０ａには、セラミックス、チタン、チタン合金等によって形成され、釣糸が摺動するガイドリング１４が止着されている。  
【００１７】
前記フレーム１０Ａは、前記挿通孔１０ｂを形成する環状部１０ｃを有している。この環状部１０ｃは、開口１０ａ部分から下方に向けて垂下した部分であり、図２に示すように、その表面１０ｃ´（両側の表面）は、釣竿の軸方向Ｘと直交する垂直面Ｐに対して所定角度θ傾斜するように形成されている。このため、前記挿通孔１０ｂは、楕円形状に形成されている。この場合、垂直面Ｐに対して傾斜する表面１０ｃ´は、図２に示すように、環状部１０ｃの全体が傾斜することで形成されていても良いし、環状部の一部に、そのように傾斜する表面が部分的に形成されたものであっても良い。  
【００１８】
前記釣竿７には、前記フレーム１０Ａの環状部１０ｃに対し、その端面１５ａが当接した状態で固定される管状の固定パイプ１５が設けられている。この固定パイプは、釣竿と同様な材料（ガラス繊維や炭素繊維などの強化繊維で強化された熱硬化性又は熱可塑性プラスチック）によって形成するのが好ましく、このような材料によって構成される固定パイプは、一般的な釣竿として用いられる繊維強化樹脂製の管状体と同様、上記したプリプレグシートをマンドレルに巻回し、加熱、脱芯等することで容易に製造することが可能である。  
【００１９】
本実施形態の固定パイプは、フレーム１０Ａの環状部１０ｃのリング状の表面１０ｃ´に面接触するように、その端部が前記所定角度θで傾斜するようにカットされている。このため、カットされた端面１５ａは楕円形状となっており、環状部１０ｃ及び固定パイプ１５は、釣竿７の軸方向Ｘと直交する垂直面Ｐに対して、同一角度θ傾斜した状態で互いに面接触した状態となる。  
【００２０】
本実施形態では、固定パイプ１５は、環状部１０ｃを軸方向の両側から挟み込むように一対設けられており（穂先側固定パイプ１５Ａ、基端側固定パイプ１５Ｂ）、各固定パイプ１５Ａ，１５Ｂの端面１５ａが環状部１０ｃの両側表面１０ｃ´に面接触した状態で釣竿表面に固定されている。この固定に際しては、釣竿７の表面の所定位置に接着剤（エポキシ系、シリコーンアクリル系、シアノアクリレート系など）を塗布しておき、この状態で基端側固定パイプ１５Ｂを嵌め込んで固定し、その後、釣糸ガイド１０を嵌入する。そして、釣糸ガイド１０の穂先側に接着剤を塗布し、穂先側固定パイプ１５Ａを嵌入することにより、釣糸ガイド１０は、その環状部１０ｃが固定パイプ１５Ａ，１５Ｂの各端面１５ａに挟持された状態で所定の位置に固定される。この場合、固定パイプ１５Ａ，１５Ｂとフレーム１０Ａは、接着しても良いし、接着しなくても良い。  
【００２１】
上記したように釣糸ガイド１０が一対の固定パイプによって両側から挟まれて固定されると、釣糸ガイドは、釣竿の軸方向に対して固定された状態となる。また、釣糸ガイドが回転しようとしても、釣糸ガイドの環状部１０ｃ及び固定パイプ１５Ａ，１５Ｂが、釣竿の軸方向Ｘと直交する垂直面Ｐに対して傾斜した状態で互いに面接触しているため、釣糸ガイドの周方向の回転が規制された状態となり、回転方向に対しても固定される。すなわち、釣糸ガイド１０は、従来のような糸巻き作業を必要とせず、単に固定パイプと釣糸ガイドを釣竿に対して嵌入するだけの簡単な作業で釣竿に固定することができ、かつ固定パイプ１５Ａ，１５Ｂによって、釣竿の軸方向への移動及び周方向への回転が規制された状態で固定されるため、強固に固定することが可能となる。特に、糸巻きによる固定方法よりも接着面積を多く確保することができるので、糸巻による固定と同程度の接着強度を軽量な構造で得ることが可能となる。  
【００２２】
また、固定パイプ自体は割れ等が生じ難い材料で形成されているため、釣竿が大きく撓んでも、従来の糸止めのようなクラックや異音等が生じることもなく耐久性が向上し、メンテナンス等を行なう必要もない。  
【００２３】
さらに、糸止めによる固定方法よりも軽量化が図れるため、釣竿全体として軽量化が図れるようになる。この場合、固定パイプを長くしても重量化しないことから、ある程度軸方向長さを長くして、接着強度をより向上しつつ外観（釣竿の外
観デザイン）を向上することが可能となる。具体的には、軽量化が図れるため、固定パイプの軸方向長さＬを、釣糸ガイド１０の軸方向長Ｌ１さよりも長くすることが可能となり、釣糸ガイドを装着する部分の近接部分を、軸方向に沿ってある程度の長さで肉厚化することで外観デザインを向上することが可能となる。また、予め固定パイプに色彩や模様を付した状態で釣竿に固定することができるため、容易にデザインの向上、及び変更が図れるようになる。  
【００２４】
上記した固定パイプの端面と環状部の表面が面接触する傾斜角度θについては、９０°未満となっていれば、釣糸ガイドが回転方向に力を受けても、その回転を阻止することが可能であるが、環状部１０ｃから前記開口１０ａが形成されている部分に至る屈曲角度等による強度低下や加工のし易さ等を考慮すると、傾斜角度θは、１０〜５０°の範囲になるように形成することが好ましい。
【００２５】
また、上記した固定パイプ１５は、釣竿と同様な材料（繊維強化樹脂材料）で形成することにより、釣竿との間で撓み特性が近似し、釣竿が撓んだ際の曲げ特性に影響を及ぼすことが抑制されるとともに、魚信等の振動伝達性の向上が図れる。この場合、釣糸ガイド１０についても繊維強化樹脂材料で形成することにより、軽量化が図れるとともに、釣竿の撓み性を阻害することなく、振動伝達性も向上する。  
【００２６】
また、上記したように、固定パイプを繊維強化樹脂材料で形成する場合、その強化繊維については、軸長方向に指向する強化繊維の割合よりも、周方向又は傾斜方向に指向する強化繊維の割合を多くすることが好ましい。すなわち、軸長方向に指向する強化繊維の割合を低くすることで、固定パイプの剛性が低くなり、釣竿が撓んだ際に、釣竿の曲がりを阻害することが抑制される。  
【００２７】
さらに、固定パイプ１５の端縁（環状部と接触しない側の端縁）には、面取り（テーパ）１５ｄを形成しておくことが好ましい。このような面取りを形成することにより、糸絡みを効果的に防止することが可能となる。  
【００２８】
次に、本発明の第２実施形態について説明する。なお、以下に説明する実施形態では、図２に示した実施形態と同様な構成部分については、同一の参照符号を付し、詳細な説明については省略する。  
【００２９】
図３は、第２の実施形態を示す側面図である。  この実施形態では、上記した固定パイプ１５Ａ，１５Ｂを、共に釣糸ガイド側に向けて次第に膨出するように形成している。  
【００３０】
このように固定パイプの肉厚を変化させることにより、外観デザインの向上が図れるようになる。なお、環状部１０ｃの外周縁と、固定パイプの表面との間には、図３に示すように段差１８が生じるようにしても良い。すなわち、固定パイプの端縁１５ａは全面に亘って環状部１０ｃの表面１０ｃ´に面接触しない構成であっても良いし、逆に、環状部１０ｃの外周縁が固定パイプの表面から膨出するようにして、環状部１０ｃの表面１０ｃ´が全面に亘って固定パイプの端縁１５ａに面接触しないような構成であっても良い。この場合、後者の構成では、環状部１０ｃの外周縁が、固定パイプ１５の表面から突出するため、環状部１０ｃの突出する部分に面取りを形成しておくことが好ましい。  
【００３１】
図４は、本発明の第３実施形態を示す側面図である。  上記した第１、第２の実施形態では、同一長さの２つの固定パイプを釣糸ガイドの環状部の前後に設けているが、本実施形態では、穂先側固定パイプ１５Ａ´の軸方向長さを短くして軽量化を図るようにしている。すなわち、釣糸ガイド１０は、上記したように、固定パイプによって軸方向の移動、及び周方向の回転が規制された状態となるので、固定パイプについては、ある程度短く形成することが可能である。具体的には、穂先側固定パイプ１５Ａ´は、先端縁から環状部１０ｃに対する接触上端位置までの距離Ｌ２が、最少で０ｍｍとなるように形成しても良い。ただし、上端位置では、ある程度、面接領域における強度を確保するのが好ましいので、前記距離Ｌ２は、軸方向長さを短く（基端側固定パイプ１５Ｂよりも短く）しつつ、固定パイプの肉厚Ｔ１以上となるように形成することが好ましい（Ｌ２≧Ｔ１）。  
【００３２】
また、固定パイプ１５には、図４に示すように、その端縁に化粧リング２５を被着しておいても良い。このように、固定パイプ方式にすることで、釣糸ガイド固定部分の外観を向上するための装飾を適宜、付加することが可能となる。  
【００３３】
図５及び図６は、本発明の第４実施形態を示す図であり、図５は固定パイプと釣竿を示す斜視図、図６は図５に示す実施形態を示す図であり、（ａ）は一対の固定パイプで釣糸ガイドを固定する際の配置を示す側面図、（ｂ）は釣糸ガイドを釣竿に固定した状態を示す側面図である。  
【００３４】
本実施形態では、釣竿７の表面の一部に、軸方向に沿って係合凸部７ａが一体形成されており、固定パイプ１５（１５Ａ，１５Ｂ）の内周面の一部に、係合凸部７ａに嵌合するように、軸方向に沿って係合凹部１５ｅが形成されている。  
【００３５】
このような構成によれば、固定パイプ１５Ａ，１５Ｂを釣竿７に固定する際、各固定パイプは、周方向に対する回転が確実に固定されるため、釣糸ガイド１０をより強固に固定することが可能となる。なお、両者の凹凸係合については、固定パイプ側に凸部を形成し釣竿側に凹部を形成しても良い。また、凹凸部の形状についても適宜変形することが可能である。  
【００３６】
図７は、本発明の第５実施形態を示す側面図（釣糸ガイド部分は断面を示す）である。  本実施形態では、一方の固定パイプ（基端側固定パイプ１５Ｂ）に、釣糸ガイド１０の環状部１０ｃが嵌入可能な段差部１５ｇを形成している。すなわち、基端側固定パイプ１５Ｂに釣糸ガイド１０を嵌合した状態で基端側固定パイプ１５Ｂを釣竿７の表面に固定することができ、その状態で、固定パイプ１５Ａを釣竿に嵌入することで、釣糸ガイド１０は一対の固定パイプの間に挟持される。当該構成では、フレーム１０Ａの挿通孔１０ｂが釣竿に直接、嵌入されるのではなく、段差部１５ｇが介在した状態で釣竿７が挿通された状態となる。なお、上記構成に代えて、穂先側固定パイプ１５Ａに、段差部１５ｇを形成しても良い。  
【００３７】
上記構成によれば、釣糸ガイド１０の装着が容易に行えるとともに、段差部を粗面化する等の加工を施すことで釣糸ガイドの回転を確実に防止することが可能となる。なお、段差部１５ｇの断面形状及び挿通孔１０ｂの形状を非円形状にしても良く、このような構成にすることで、釣糸ガイド１０の回転を確実に防止することが可能となる。  
【００３８】
図８（ａ）は、本発明の第６実施形態を示す側面図である。  本実施形態の釣糸ガイド１０は、フレーム１０Ａに、それぞれ釣竿が挿通される挿通孔を規定する複数の環状部１０ｃａ，１０ｃｂが形成されており、一般的な両足釣糸ガイドと似た構造となっている。  
【００３９】
このように、環状部が複数形成されている（複数の脚部が形成されている）場合、中間部分に固定パイプ１５Ｃを配設することで、各環状部１０ｃａ，１０ｃｂは、両側から固定パイプによって挟持された状態となり、釣糸ガイドは、軸方向及び回転方向に対して確実に固定された状態となる。この場合、基端側の環状部１０ｃａは２つの固定パイプ１５Ｂと１５Ｃによって固定され，穂先側の環状部１０ｃｂは２つの固定パイプ１５Ａと１５Ｃによって固定される。なおこの場合、中央の固定パイプ１５Ｃを装着しない構成、或いは、穂先側の固定パイプ１５Ａを装着しない構成、更には基端側の固定パイプ１５Ｂを装着しない構成も考えうるが、釣糸ガイドに強い応力が加わった場合、環状部と固定パイプが剥離してしまう可能性があるため、実際の設計においては本実施形態の構成が好ましい。  
【００４０】
また、複数の脚部については、図８（ａ）に示す構成では、側面視した際、ハの字状に形成されているが、図８（ｂ）に示すように、いずれか一方の脚部（環状部１０ｃａ側の脚部としてある）を、フレーム１０Ａからそのまま下方に垂下させる（軸方向と直交する方向に垂下させる）ように形成しても良い。この場合、上記と同様に中央の固定パイプ１５Ｃを装着しない構成、或いは、穂先側固定パイプ１５Ａを装着しない構成、更には基端側固定パイプ１５Ｂを装着しない構成も考えうるが、釣糸ガイドに強い応力が加わった場合、環状部と固定パイプが剥離してしまう可能性があるため、実際の設計においては本実施形態の構成が好ましい。  
【００４１】
図９は、本発明の第７実施形態を示す図である。上記した第１〜６実施形態では、いずれも釣糸ガイド１０の環状部１０ｃが、２つの固定パイプの端面間に位置し、外部に露出する構造となっているが、本実施形態では、環状部１０ｃが固定パイプ１５Ａ、１５Ｂの当接面の内部に埋め込まれることで、図９（ａ）に示す通り、外部に露出しないようにしたものである。  
【００４２】
図９（ｂ）に示す通り、基端側固定パイプ１５Ｂの端面に、環状部１０ｃを嵌入する凹部２０を形成し、当該凹部に環状部１０ｃを挿入した後、穂先側固定パイプ１５Ａの端面（ここには凹部が形成されない）と当接させることで、環状部１０ｃを外部に露出しないようにしている。なお、上記とは逆に、穂先側固定パイプ１５Ａの端面に凹部を形成し、基端側固定パイプ１５Ｂの端面には凹部を形成しないようにしても良い。図中３０は、固定パイプに設けた切欠きであり、釣糸ガイド脚を通すためのものである。  
【００４３】
図１０は、本発明の第８実施例を示す図である。本実施例は、上記第７実施例の変形例であり、穂先側固定パイプ１５Ａ及び基端側固定パイプ１５Ｂの両方の端面に凹部を形成し、当該凹部に環状部１０ｃを挿入した後、穂先側固定パイプ１５Ａ及び基端側固定パイプ１５Ｂを当接させることで、環状部１０ｃを外部に露出しないようにしている。  なお、第７、８実施形態の場合、図１０に示すように、固定パイプ１５Ａ、１５Ｂの当接部分に、相互に係合する凹凸部４０、４１を形成し、強固に噛合うように構成しても良い。  
【００４４】
上記第７、８実施形態によれば、釣糸ガイド１０を固定パイプ１５に装着した状態で、簡単に釣竿に固定することができる。また、釣糸ガイド１０の脚部が、固定パイプ１０の切欠き３０に嵌合することにより、周方向への回転を更に規制することができ、また、図５に示す係合凸部と係合凹部を採用することで、より確実に回転を規制することができる。  
【００４５】
以上、本発明の実施形態について説明したが、本発明は、上記した実施形態に限定されることは無く、種々変形することが可能である。  釣糸ガイドの周方向の回転を阻止するために、固定パイプと釣糸ガイドは、釣竿の軸方向Ｘと直交する垂直面Ｐに対して傾斜した状態で互いに面接触するようにしているが、面接触部分は、釣糸ガイドの回転が阻止できるように、例えば、段差面同士で当接するように構成しても良い。さらに、フレーム１０Ａの形状については、例えば、釣糸が絡まないように前方に大きく傾斜させる等、適宜変形することが可能である。
【符号の説明】
【００４６】
１  釣竿３  元竿杆５  中竿杆７  穂先竿杆１０  釣糸ガイド１０Ａ  フレーム１０ａ  開口１０ｂ  挿通孔１０ｃ  環状部１０ｃ´  表面１５（１５Ａ〜１５Ｃ）  固定パイプ
【図１】
0006466352.tif 000002
【図２】
0006466352.tif 000003
【図３】
0006466352.tif 000004
【図４】
0006466352.tif 000005
【図５】
0006466352.tif 000006
【図６】
0006466352.tif 000007
【図７】
0006466352.tif 000008
【図８】
0006466352.tif 000009
【図９】
0006466352.tif 000010
【図１０】
0006466352.tif 000011